(57)【特許請求の範囲】
【請求項１】
医療用酸素ガス供給源から供給される酸素ガスを流量調節して使用者に供給する呼吸用気体供給装置において、前記医療用酸素ガス供給源の酸素ガス取出口に固着される酸素ガス取出ユニットと、該酸素ガス取出ユニットに着脱可能に結合するガス供給ユニットとを備え、前記酸素ガス取出ユニットは、該酸素ガス取出ユニットに前記ガス供給ユニットが結合しているときにのみ開弁する逆止弁を備え、前記ガス供給ユニットは、前記酸素ガス取出ユニットからガス供給ユニットに導入された酸素ガスの流量を設定する流量調節弁を備え、酸素ガス取出ユニット及びガス供給ユニットは、互いに係合して酸素ガス取出ユニットとガス供給ユニットとを結合させる係合手段をそれぞれ備え、前記酸素ガス取出ユニットは、前記係合手段の係合状態を解除して酸素ガス取出ユニットとガス供給ユニットとを分離可能とする係合解除手段及び該係合解除手段の係合解除動作を規制する係合解除規制手段を備え、前記ガス供給ユニットは、前記流量調節弁で設定した酸素ガスの流量がゼロに設定されているときに、前記係合解除規制手段による前記係合解除手段の係合解除動作の規制を解除する規制解除手段を備え、
前記係合手段は、
前記ガス供給ユニットに設けられた係合突部を有する雄側係合部材と、
前記酸素ガス取出ユニットに設けられた前記雄側係合部材の係合突部に対して係合位置と非係合位置とに移動可能に形成された雌側係合部材と、
前記雌側係合部材を前記非係合位置に押動する前記係合解除手段である押動部材と
を備えている呼吸用気体供給装置。
【請求項２】
医療用酸素ガス供給源から供給される酸素ガスを流量調節して使用者に供給する呼吸用気体供給装置において、前記医療用酸素ガス供給源の酸素ガス取出口に固着される酸素ガス取出ユニットと、該酸素ガス取出ユニットに着脱可能に結合するガス供給ユニットとを備え、前記酸素ガス取出ユニットは、該酸素ガス取出ユニットに前記ガス供給ユニットが結合しているときにのみ開弁する逆止弁を備え、前記ガス供給ユニットは、前記酸素ガス取出ユニットからガス供給ユニットに導入された酸素ガスの流量を設定する流量調節弁を備え、酸素ガス取出ユニット及びガス供給ユニットは、互いに係合して酸素ガス取出ユニットとガス供給ユニットとを結合させる係合手段をそれぞれ備え、前記酸素ガス取出ユニットは、前記係合手段の係合状態を解除して酸素ガス取出ユニットとガス供給ユニットとを分離可能とする係合解除手段及び該係合解除手段の係合解除動作を規制する係合解除規制手段を備え、前記ガス供給ユニットは、前記流量調節弁で設定した酸素ガスの流量がゼロに設定されているときに、前記係合解除規制手段による前記係合解除手段の係合解除動作の規制を解除する規制解除手段を備え、
前記酸素ガス取出ユニット及び前記ガス供給ユニットは、それぞれ形成された結合面を当接させた状態で結合し、
前記係合手段は、
ガス供給ユニットの結合面から酸素ガス取出ユニットに向けて突設され、先端部側面に係合突部が設けられた雄側係合部材と、
酸素ガス取出ユニットの結合面に設けられて前記雄側係合部材が進入する保持孔の側壁部に前記酸素ガス取出口の軸線と直交する方向に移動して前記雄側係合部材の係合突部に対して係合位置と非係合位置とに移動可能に形成された雌側係合部材とを備え、
前記雌側係合部材は、前記非係合位置において前記酸素ガス取出ユニットの結合面の外周面より突出するように形成され、前記雌側係合部材の色調と異なる色調の非係合表示部を上面に設けている
呼吸用気体供給装置。
【請求項３】
前記雌側係合部材は、前記係合位置において前記酸素ガス取出ユニットの結合面の外周面と面一になる外側面を有する請求項２記載の呼吸用気体供給装置。
【請求項４】
医療用酸素ガス供給源から供給される酸素ガスを流量調節して使用者に供給する呼吸用気体供給装置において、前記医療用酸素ガス供給源の酸素ガス取出口に固着される酸素ガス取出ユニットと、該酸素ガス取出ユニットに着脱可能に結合するガス供給ユニットとを備え、前記酸素ガス取出ユニットは、該酸素ガス取出ユニットに前記ガス供給ユニットが結合しているときにのみ開弁する逆止弁を備え、前記ガス供給ユニットは、前記酸素ガス取出ユニットからガス供給ユニットに導入された酸素ガスの流量を設定する流量調節弁を備え、酸素ガス取出ユニット及びガス供給ユニットは、互いに係合して酸素ガス取出ユニットとガス供給ユニットとを結合させる係合手段をそれぞれ備え、前記酸素ガス取出ユニットは、前記係合手段の係合状態を解除して酸素ガス取出ユニットとガス供給ユニットとを分離可能とする係合解除手段及び該係合解除手段の係合解除動作を規制する係合解除規制手段を備え、前記ガス供給ユニットは、前記流量調節弁で設定した酸素ガスの流量がゼロに設定されているときに、前記係合解除規制手段による前記係合解除手段の係合解除動作の規制を解除する規制解除手段を備え、
前記酸素ガス取出ユニット及び前記ガス供給ユニットは、前記酸素ガス取出口の軸線と直交する方向にそれぞれ形成された結合面を当接させた状態で結合し、前記酸素ガス取出口の軸線方向に分離可能に形成され、
前記係合手段は、
ガス供給ユニットの結合面から酸素ガス取出ユニットに向けて突設され、先端部側面に係合突部が設けられた雄側係合部材と、
酸素ガス取出ユニットの結合面に設けられて前記雄側係合部材が進入する保持孔の側壁部に前記酸素ガス取出口の軸線と直交する方向に移動して前記雄側係合部材の係合突部に対して係合位置と非係合位置とに移動可能に形成された雌側係合部材と、
該雌側係合部材を前記非係合位置から前記係合位置に向けて付勢する雌側係合部材付勢手段と、
前記酸素ガス取出口の軸線と直交する方向に移動して前記雌側係合部材を前記非係合位置に押動する前記係合解除手段である押動部材と、
前記酸素ガス取出口の軸線方向に移動して前記押動部材が前記雌側係合部材を前記非係合位置に押動する方向に移動することを規制する押動規制位置と押動規制解除位置とに移動可能に設けられて前記押動規制位置では酸素ガス取出ユニットの結合面からガス供給ユニットに向けて突出した状態になる前記係合解除規制手段である押動規制部材と、
該押動規制部材を前記押動規制位置に付勢する押動規制部材付勢手段と
を備えている呼吸用気体供給装置。
【請求項５】
前記雄側係合部材は、先端部で雌側係合部材を雌側係合部材付勢手段の付勢力に抗して前記非係合位置に押動し、前記係合突部に対して雌側係合部材が係合可能な位置まで雄側係合部材を保持孔内に進入させたときに、雌側係合部材付勢手段の付勢力によって雌側係合部材が係合突部との係合位置に移動して雄側係合部材と雌側係合部材とが係合して酸素ガス取出ユニットとガス供給ユニットとを結合状態に保持し、
前記流量調節弁は、前記酸素ガス取出口の軸線方向の回転軸を中心として回転する流量調節ダイヤルをガス供給ユニットの外周部に備え、該流量調節ダイヤルの結合面側には、酸素ガスの流量をゼロに設定したときに前記押動規制部材を前記押動規制解除位置に移動させる前記規制解除手段が設けられている請求項４記載の呼吸用気体供給装置。
【請求項６】
前記ガス供給ユニットは、該ガス供給ユニットから供給する酸素ガスを連続して供給する連続供給と、酸素ガスを呼吸に同調させて供給する同調供給とを切り替える供給状態切替手段を備えている請求項１乃至５のいずれか１項記載の呼吸用気体供給装置。
【請求項７】
前記医療用酸素ガス供給源が、酸素ガスを高圧充填した医療用酸素ガス容器であり、前記酸素ガス取出ユニットは、前記医療用酸素ガス容器から導出された酸素ガスを減圧する減圧弁を備えている請求項１乃至６のいずれか１項記載の呼吸用気体供給装置。
【請求項８】
前記酸素ガス取出ユニットは、前記医療用酸素ガス容器からの酸素ガス導出経路を開閉する容器元弁を備えている請求項７記載の呼吸用気体供給装置。
【請求項９】
前記酸素ガス取出ユニットは、前記医療用酸素ガス容器内の酸素ガスの残量を表示する残量計を備えている請求項７又は８記載の呼吸用気体供給装置。
【請求項１０】
前記酸素ガス取出ユニットは、前記医療用酸素ガス容器内に酸素ガスを充填する充填口を備えている請求項７乃至９のいずれか１項記載の呼吸用気体供給装置。
【請求項１１】
前記酸素ガス取出ユニットは、前記医療用酸素ガス容器内の圧力が上昇したときに開弁する安全弁を備えている請求項７乃至１０のいずれか１項記載の呼吸用気体供給装置。
【請求項１２】
前記酸素ガス取出ユニットは、前記医療用酸素ガス容器から取り出した酸素ガス中の塵埃を除去するフィルタを備えている請求項７乃至１１のいずれか１項記載の呼吸用気体供給装置。
【請求項１３】
前記酸素ガス取出口の軸線は、前記医療用酸素ガス容器の軸線と一致している請求項７乃至１２のいずれか１項記載の呼吸用気体供給装置。
【発明の詳細な説明】
【技術分野】
【０００１】
本発明は、呼吸用気体供給装置に関し、詳しくは、各種医療用酸素ガス供給源からの酸素を呼吸器系疾患を持つ患者に供給する際に使用する呼吸用気体供給装置に関する。
【背景技術】
【０００２】
肺気腫や慢性気管支炎等の呼吸器系疾患を持つ患者が在宅時や外出時に酸素を吸入するための機器として、小型で携帯可能なＦＲＰ製の医療用酸素ガス容器が一般的に用いられている。この医療用酸素ガス容器には、カニューラを介して吸入する酸素ガスの圧力や流量を調節するための減圧弁や流量調節弁を備えた呼吸用気体供給装置が取り付けられている。この呼吸用気体供給装置として、減圧手段及び流量設定手段を備えた容器ユニット部と、デマンドレギュレーターを備えたセーバーユニット部とに分割し、医療用酸素ガス容器に取り付けられる容器ユニット部に対してセーバーユニット部を着脱可能とした一体型呼吸用気体供給装置が知られている（例えば、特許文献１参照。）。
【先行技術文献】
【特許文献】
【０００３】
【特許文献１】特許第４４０９８１７号公報
【発明の概要】
【発明が解決しようとする課題】
【０００４】
特許文献１に記載された一体型呼吸用気体供給装置は、押し込むことによって容器ユニット部にセーバーユニット部を合体させるための合体惹起手段と、押し込むことによって容器ユニット部からセーバーユニット部を分離させるための解除惹起手段とを設けているため、構造が複雑になるだけでなく、合体させるときには、容器ユニット部に対してセーバーユニット部を位置合わせしてずれたりしないように押し付けた状態で合体惹起手段を押し込まなければならず、操作性に難点があり、高齢者などの負担になっていた。また、両方とも押し込むことで合体させたり、合体を解除させたりするものであるため、押し間違いにより合体や解除がスムーズにいかないこともあった。さらに、セーバーユニット部を使用中に、何らかの原因で解除惹起手段が押し込まれた状態になると、容器ユニット部からセーバーユニット部が外れてしまい、カニューラへの呼吸用気体の供給が絶たれてしまうおそれがあった。
【０００５】
なお、前記特許文献１では、請求項１において流量設定手段が容器ユニット部に備えられていると記載しているにもかかわらず、発明の実施の形態では、流量設定つまみがセーバーユニット部に備えられていると記載しているため、容器ユニット部及びセーバーユニット部の構成が明確ではない。
【０００６】
そこで本発明は、医療用酸素ガス容器をはじめとする各種医療用酸素ガスの酸素ガス取出口に固着される酸素ガス取出ユニットと、カニューラなどが接続されるガス供給ユニットとの着脱を容易かつ確実に行うことができ、呼吸用気体を安定した状態で確実に供給することができる呼吸用気体供給装置を提供することを目的としている。
【課題を解決するための手段】
【０００７】
上記目的を達成するため、本発明の呼吸用気体供給装置は、医療用酸素ガス供給源から供給される酸素ガスを流量調節して使用者に供給する呼吸用気体供給装置において、前記医療用酸素ガス供給源の酸素ガス取出口に固着される酸素ガス取出ユニットと、該酸素ガス取出ユニットに着脱可能に結合するガス供給ユニットとを備え、前記酸素ガス取出ユニットは、該酸素ガス取出ユニットに前記ガス供給ユニットが結合しているときにのみ開弁する逆止弁を備え、前記ガス供給ユニットは、前記酸素ガス取出ユニットからガス供給ユニットに導入された酸素ガスの流量を設定する流量調節弁を備え、酸素ガス取出ユニット及びガス供給ユニットは、互いに係合して酸素ガス取出ユニットとガス供給ユニットとを結合させる係合手段をそれぞれ備え、前記酸素ガス取出ユニットは、前記係合手段の係合状態を解除して酸素ガス取出ユニットとガス供給ユニットとを分離可能とする係合解除手段及び該係合解除手段の係合解除動作を規制する係合解除規制手段を備え、前記ガス供給ユニットは、前記流量調節弁で設定した酸素ガスの流量がゼロに設定されているときに、前記係合解除規制手段による前記係合解除手段の係合解除動作の規制を解除する規制解除手段を備え、前記係合手段は、前記ガス供給ユニットに設けられた係合突部を有する雄側係合部材と、前記酸素ガス取出ユニットに設けられた前記雄側係合部材の係合突部に対して係合位置と非係合位置とに移動可能に形成された雌側係合部材と、前記雌側係合部材を前記非係合位置に押動する前記係合解除手段である押動部材とを備えていることを特徴としている。
【０００８】
また、本発明の呼吸用気体供給装置は、医療用酸素ガス供給源から供給される酸素ガスを流量調節して使用者に供給する呼吸用気体供給装置において、前記医療用酸素ガス供給源の酸素ガス取出口に固着される酸素ガス取出ユニットと、該酸素ガス取出ユニットに着脱可能に結合するガス供給ユニットとを備え、前記酸素ガス取出ユニットは、該酸素ガス取出ユニットに前記ガス供給ユニットが結合しているときにのみ開弁する逆止弁を備え、前記ガス供給ユニットは、前記酸素ガス取出ユニットからガス供給ユニットに導入された酸素ガスの流量を設定する流量調節弁を備え、酸素ガス取出ユニット及びガス供給ユニットは、互いに係合して酸素ガス取出ユニットとガス供給ユニットとを結合させる係合手段をそれぞれ備え、前記酸素ガス取出ユニットは、前記係合手段の係合状態を解除して酸素ガス取出ユニットとガス供給ユニットとを分離可能とする係合解除手段及び該係合解除手段の係合解除動作を規制する係合解除規制手段を備え、前記ガス供給ユニットは、前記流量調節弁で設定した酸素ガスの流量がゼロに設定されているときに、前記係合解除規制手段による前記係合解除手段の係合解除動作の規制を解除する規制解除手段を備え、前記酸素ガス取出ユニット及び前記ガス供給ユニットは、それぞれ形成された結合面を当接させた状態で結合し、前記係合手段は、ガス供給ユニットの結合面から酸素ガス取出ユニットに向けて突設され、先端部側面に係合突部が設けられた雄側係合部材と、酸素ガス取出ユニットの結合面に設けられて前記雄側係合部材が進入する保持孔の側壁部に前記酸素ガス取出口の軸線と直交する方向に移動して前記雄側係合部材の係合突部に対して係合位置と非係合位置とに移動可能に形成された雌側係合部材とを備え、前記雌側係合部材は、前記非係合位置において前記酸素ガス取出ユニットの結合面の外周面より突出するように形成され、前記雌側係合部材の色調と異なる色調の非係合表示部を上面に設けていることを特徴としている。
【０００９】
前記雌側係合部材は、前記係合位置において前記酸素ガス取出ユニットの結合面の外周面と面一になる外側面を有することが好ましい。
【００１０】
また、本発明の呼吸用気体供給装置は、医療用酸素ガス供給源から供給される酸素ガスを流量調節して使用者に供給する呼吸用気体供給装置において、前記医療用酸素ガス供給源の酸素ガス取出口に固着される酸素ガス取出ユニットと、該酸素ガス取出ユニットに着脱可能に結合するガス供給ユニットとを備え、前記酸素ガス取出ユニットは、該酸素ガス取出ユニットに前記ガス供給ユニットが結合しているときにのみ開弁する逆止弁を備え、前記ガス供給ユニットは、前記酸素ガス取出ユニットからガス供給ユニットに導入された酸素ガスの流量を設定する流量調節弁を備え、酸素ガス取出ユニット及びガス供給ユニットは、互いに係合して酸素ガス取出ユニットとガス供給ユニットとを結合させる係合手段をそれぞれ備え、前記酸素ガス取出ユニットは、前記係合手段の係合状態を解除して酸素ガス取出ユニットとガス供給ユニットとを分離可能とする係合解除手段及び該係合解除手段の係合解除動作を規制する係合解除規制手段を備え、前記ガス供給ユニットは、前記流量調節弁で設定した酸素ガスの流量がゼロに設定されているときに、前記係合解除規制手段による前記係合解除手段の係合解除動作の規制を解除する規制解除手段を備え、前記酸素ガス取出ユニット及び前記ガス供給ユニットは、前記酸素ガス取出口の軸線と直交する方向にそれぞれ形成された結合面を当接させた状態で結合し、前記酸素ガス取出口の軸線方向に分離可能に形成され、前記係合手段は、ガス供給ユニットの結合面から酸素ガス取出ユニットに向けて突設され、先端部側面に係合突部が設けられた雄側係合部材と、酸素ガス取出ユニットの結合面に設けられて前記雄側係合部材が進入する保持孔の側壁部に前記酸素ガス取出口の軸線と直交する方向に移動して前記雄側係合部材の係合突部に対して係合位置と非係合位置とに移動可能に形成された雌側係合部材と、該雌側係合部材を前記非係合位置から前記係合位置に向けて付勢する雌側係合部材付勢手段と、前記酸素ガス取出口の軸線と直交する方向に移動して前記雌側係合部材を前記非係合位置に押動する前記係合解除手段である押動部材と、前記酸素ガス取出口の軸線方向に移動して前記押動部材が前記雌側係合部材を前記非係合位置に押動する方向に移動することを規制する押動規制位置と押動規制解除位置とに移動可能に設けられて前記押動規制位置では酸素ガス取出ユニットの結合面からガス供給ユニットに向けて突出した状態になる前記係合解除規制手段である押動規制部材と、該押動規制部材を前記押動規制位置に付勢する押動規制部材付勢手段とを備えていることを特徴としている。さらに、前記雄側係合部材は、先端部で雌側係合部材を雌側係合部材付勢手段の付勢力に抗して前記非係合位置に押動し、前記係合突部に対して雌側係合部材が係合可能な位置まで雄側係合部材を保持孔内に進入させたときに、雌側係合部材付勢手段の付勢力によって雌側係合部材が係合突部との係合位置に移動して雄側係合部材と雌側係合部材とが係合して酸素ガス取出ユニットとガス供給ユニットとを結合状態に保持し、前記流量調節弁は、前記酸素ガス取出口の軸線方向の回転軸を中心として回転する流量調節ダイヤルをガス供給ユニットの外周部に備え、該流量調節ダイヤルの結合面側には、酸素ガスの流量をゼロに設定したときに前記押動規制部材を前記押動規制解除位置に移動させる前記規制解除手段が設けられていることが好ましい。
【００１１】
前記ガス供給ユニットが、該ガス供給ユニットから供給する酸素ガスを連続して供給する連続供給と、酸素ガスを呼吸に同調させて供給する同調供給とを切り替える供給状態切替手段を備えていることが好ましい。
【００１２】
前記医療用酸素ガス供給源が、酸素ガスを高圧充填した医療用酸素ガス容器の場合、前記酸素ガス取出ユニットは、前記医療用酸素ガス容器から導出された酸素ガスを減圧する減圧弁、前記医療用酸素ガス容器からの酸素ガス導出経路を開閉する容器元弁、前記医療用酸素ガス容器内の酸素ガスの残量を表示する残量計、前記医療用酸素ガス容器内に酸素ガスを充填する充填口、前記医療用酸素ガス容器内の圧力が上昇したときに開弁する安全弁及び前記医療用酸素ガス容器から取り出した酸素ガス中の塵埃を除去するフィルタを備えていることが好ましく、前記酸素ガス取出口の軸線が、前記医療用酸素ガス容器の軸線と一致していることが好ましい。
【発明の効果】
【００１３】
本発明の呼吸用気体供給装置によれば、ガス供給ユニットが結合しているときにのみ開弁する逆止弁を酸素ガス取出ユニットが備えているので、ガス供給ユニットが結合していないときには、医療用酸素ガス供給源から外部に酸素ガスが流出することはなく、流量調節弁の酸素ガス流量がゼロ以外では係合手段の解除を行えないので、酸素ガスを使用中にガス供給ユニットが酸素ガス取出ユニットから外れて呼吸用気体の供給が途絶えることがない。さらに、酸素ガスの供給量がゼロで呼吸用気体を使用していないときには、ガス供給ユニットを容易に取り外すことができ、取り外したガス供給ユニットは、他の医療用酸素ガス供給源に取り付けられている酸素ガス取出ユニットに取り付けることができるので、例えば、複数の医療用酸素ガス容器に酸素ガス取出ユニットをそれぞれ固着しておくことにより、使用する医療用酸素ガス容器の交換を容易に行うことができる。さらに、複数の異なる医療用酸素ガス供給源にあらかじめ酸素ガス取出ユニットをそれぞれ固着しておくことにより、使用者の状況に応じた適宜な医療用酸素ガス供給源を選択して利用することができる。例えば、在宅時と外出時とで、それぞれ最適な医療用酸素ガス供給源を利用することができる。また、ガス供給ユニットに連続供給と同調供給とを切り替える供給状態切替手段を設けておくことにより、使用状態に応じた供給状態で呼吸用気体を使用者に供給することができる。
【００１４】
さらに、係合手段を酸素ガス取出口の軸線方向に押し付けるように移動させて係合するように形成することにより、ガス供給ユニットを酸素ガス取出ユニットに取り付ける際の操作性を向上させることができ、片手で行うことも可能となる。一方、係合解除手段を酸素ガス取出口の軸線と直交する方向に移動して係合手段の係合を解除するように形成することにより、酸素ガス取出ユニットからガス供給ユニットを取り外す際の操作性を向上でき、片手で取り外すことも可能となる。
【００１５】
さらに、医療用酸素ガス供給源が医療用酸素ガス容器の場合は、酸素ガス取出ユニットに容器元弁を設けておくことにより、非使用時の医療用酸素ガス容器を確実に密閉状態としておくことができ、残量計を設けておくことにより、医療用酸素ガス容器内の酸素ガス量を容易に確認することができる。さらに、充填口を設けておくことにより、酸素ガス取出ユニットを装着したままの状態で医療用酸素ガス容器内への酸素ガスの充填を行うことができ、安全弁を設けておくことにより、何らかの原因で容器内圧力が上昇しても安全であり、フィルタを設けておくことにより、塵埃を含んだ酸素ガスが呼吸用気体として使用者に供給されることもなくなる。
【図面の簡単な説明】
【００１６】
【図１】本発明の呼吸用気体供給装置の一形態例を示す分解斜視図である。
【図２】呼吸用気体供給装置における酸素ガス導出経路の一形態例を示すブロック図である。
【図３】酸素ガス取出ユニットとガス供給ユニットとを結合させた呼吸用気体供給装置を示す斜視図である。
【図４】呼吸用気体供給装置を医療用酸素ガス容器に装着した使用状態を示す正面図である。
【図５】同じく要部の一部断面正面図である。
【図６】図５のVI−VI断面図である。
【図７】同じく要部の一部断面正面図である。
【図８】同じく要部の一部断面側面図である。
【図９】供給状態を切り替えた状態を示す要部の正面図である。
【図１０】流量をゼロに設定した状態を示す一部断面正面図である。
【図１１】酸素ガス取出ユニットからガス供給ユニットを取り外した状態を示す一部断面正面図である。
【図１２】同じく一部断面側面図である。
【図１３】図１１のXIII−XIII矢視図である。
【図１４】図１１のXIV−XIV矢視である。
【図１５】液体酸素容器への接続例を示すブロック図である。
【発明を実施するための形態】
【００１７】
本形態例は、本発明の呼吸用気体供給装置を、酸素ガスを高圧で充填した医療用酸素ガス容器（以下、ガス容器という。）に適用した一形態例を示している。本形態例に示す呼吸用気体供給装置１０は、ガス容器１１における酸素ガス取出口である口金部１１ａに固着されてガス容器１１の容器弁を兼ねる酸素ガス取出ユニット３０と、該酸素ガス取出ユニット３０に着脱可能に結合するガス供給ユニット５０とで構成されており、酸素ガス取出ユニット３０及びガス供給ユニット５０の内部には、ガス容器１１内から導出した酸素ガスを使用者に供給するための酸素ガス導出経路７０が設けられている。
【００１８】
酸素ガス取出ユニット３０の酸素ガス導出経路７０ａは、容器弁部７１と減圧部７２とを備えており、容器弁部７１には、酸素ガス導出経路７０ａをガス容器１１内に連通させる容器連通部７３と、酸素ガス導出経路７０ａを開閉する容器元弁７４と、ガス容器１１内の圧力に対応してガス容器１１内の酸素ガスの残量を表示する残量計７５と、ガス容器１１内の圧力があらかじめ設定された上限圧力を超えたときに開弁する安全弁７６と、ガス容器１１内に酸素ガスを充填するための充填口７７とが設けられている。
【００１９】
また、減圧部７２には、ガス容器１１内から導出した高圧の酸素ガスをあらかじめ設定された圧力に減圧するための減圧弁７８と、酸素ガス導出経路７０ａを流れる酸素ガス中の塵埃を除去するフィルタ７９と、酸素ガス取出ユニット３０にガス供給ユニット５０が結合しているときにのみ開弁する逆止弁８０とが設けられ、逆止弁８０の下流側の酸素ガス導出経路７０ａの端部には、ガス供給ユニット５０内の酸素ガス導出経路７０ｂの端部に設けられた雄側継手部８１に着脱可能に接続する雌側継手部８２が設けられている。
【００２０】
一方のガス供給ユニット５０内の酸素ガス導出経路７０ｂには、使用者に供給する酸素ガスの流量を設定する流量調節弁８３と、酸素ガスの供給状態を連続供給状態と同調供給状態とに切り替える供給状態切替手段８４とが設けられ、酸素ガス導出経路７０ｂの出口部にはジョイント接続部８５が設けられている。
【００２１】
酸素ガス取出ユニット３０とガス供給ユニット５０とは、ガス容器１１の酸素ガス取出口の軸線、本形態例では、酸素ガス取出口の軸線と一致するガス容器１１の軸線と直交する方向、すなわち、ガス容器１１を立てた状態で水平方向に向くようにそれぞれ形成された円盤状の結合面３１，５１を当接させた状態で結合し、ガス容器１１の軸線方向、ガス容器１１を立てた状態で上下方向に分離可能に形成されている。
【００２２】
さらに、酸素ガス取出ユニット３０の外面には、前記容器元弁７４を開閉するための開閉コック３２と、前記残量計７５の表示部である残量表示部３３と、図示は省略するが、前記充填口７７の開口と、減圧弁７８の調整部とが設けられている。また、酸素ガス取出ユニット３０の下部には、酸素ガス取出ユニット３０をガス容器１１の口金部１１ａに螺着するための雄ねじ部３４が設けられている。
【００２３】
一方のガス供給ユニット５０は、円柱状の外形を有するもので、酸素ガス取出ユニット結合側となる下向き結合面５１に近い外周面には、前記流量調節弁８３を操作するための流量設定リング５２が水平方向に回動可能に設けられ、該流量設定リング５２の上部には、流量調節弁８３に設定した酸素ガス流量を数値で表示する流量表示部５３が呼吸用気体供給装置の正面を向いて設けられている。
【００２４】
さらに、流量表示部５３の上部には、前記供給状態切替手段８４の供給切替操作部５４と供給状態表示部５５とが設けられ、ガス供給ユニット５０の外周面一側には、前記ジョイント接続部８５に連結されたジョイント５６が設けられている。このジョイント５６は、ジョイント接続部８５との連結部５６ａからチューブ接続部５６ｂを直角に屈曲させたＬ字状に形成されており、連結部５６ａがジョイント接続部８５に対して回動可能に形成されており、カニューラのチューブ１２を接続するのに適した任意の方向にチューブ接続部５６ｂを回動できるようにしている。
【００２５】
また、上向き結合面３１の中央と下向き結合面５１の中央とには、前記雄側継手部８１，雌側継手部８２の連結端３５，５７がそれぞれ開口しており、酸素ガス取出ユニット３０とガス供給ユニット５０とを結合したときに、連結端３５，５７が気密に嵌合するように形成されている。
【００２６】
酸素ガス取出ユニット３０とガス供給ユニット５０とを結合状態に保持するための係合手段は、ガス供給ユニット５０の下向き結合面５１から酸素ガス取出ユニット３０に向かって突出し、先端部側面に係合突部５８がそれぞれ設けられた一対の雄側係合部材５９と、酸素ガス取出ユニット３０の上向き結合面３１に設けられた一対の保持孔３６の側壁部にそれぞれ設けられた雌側係合部材３７とを備えている。
【００２７】
係合突部５８は、雄側係合部材５９の側面から下向き結合面５１の径方向外側に向かって突出しており、係合突部５８の下向き結合面５１側には、雌側係合部材３７が係合する水平方向の段部５８ａが形成され、係合突部５８の酸素ガス取出ユニット３０側先端部には、先端から次第に下向き結合面５１の外周側に向かう方向の斜面からなるガイド面５８ｂが形成されている。
【００２８】
雌側係合部材３７は、上向き結合面３１内の両側面に開口するようにしてそれぞれ設けられた水平方向の係合部材支持溝３８内に設けられており、雌側係合部材３７の前後方向中間部が、上下方向を向いた軸部材３９によって回動可能に軸支されている。雌側係合部材３７の軸部材３９より後部側には、前記保持孔３６内に出没可能な係合部３７ａが形成され、軸部材３９より前部側には、係合解除用アーム３７ｂが形成されている。
【００２９】
前記係合部３７ａの内側面は、雄側係合部材５９のガイド面５８ｂと同じ方向に傾斜したガイド面３７ｃが形成され、外側面３７ｄは、上向き結合面３１の外周面と面一になる円弧状に形成されている。また、両雌側係合部材３７の内周側には、前記係合部３７ａを保持孔３６内に突出させる方向に付勢する雌側係合部材付勢手段である板バネ４０が設けられている。
【００３０】
これにより、雌側係合部材３７は、板バネ４０の付勢力で押動されて保持孔３６内に係合部３７ａが突出した係合位置と、板バネ４０の付勢力に抗して保持孔３６から係合部３７ａが没して外側面３７ｄが上向き結合面３１の外周より外方に突出した状態の非係合位置とに回動可能に形成されている。また、非係合位置で上向き結合面３１の外周より外方に突出した状態となる雌側係合部材３７の先端部上面には、雌側係合部材３７の色調とは異なった色調で、雌側係合部材３７が非係合位置にあることを示す非係合表示部３７ｅが設けられている。
【００３１】
さらに、上向き結合面３１の正面側下部には、前記雌側係合部材３７の係合部３７ａを保持孔３６から係合部材支持溝３８内に没する方向に回動させて、前記雄側係合部材５９と雌側係合部材３７との係合状態を解除するための係合解除手段である係合解除部材４１を収容する係合解除部材収容溝４２が水平方向に設けられている。係合解除部材４１の内側面両端部は、前記係合解除用アーム３７ｂの外面に当接しており、係合解除用アーム３７ｂを介して前記板バネ４０により外周側に付勢されている。
【００３２】
係合解除部材４１の内側面中央部の内側部分には、上下方向のガイド溝４３が設けられており、該ガイド溝４３内に、係合解除部材４１が内側に押動されて移動することを規制するための押動規制部材４４が上下方向に移動可能に設けられている。この押動規制部材４４は、ガイド溝４３の底部に設けられた押動規制部材付勢手段であるコイルバネ４５によって上方に付勢されており、通常は、押動規制部材４４の上端が上向き結合面３１から上方に突出した状態に保持されている。
【００３３】
押動規制部材４４の前面中央部には、前記係合解除部材４１の内側面中央部が進入可能な凹溝４４ａが前方に向かって開口しており、押動規制部材４４がガイド溝４３に沿って下方に押し込まれ、押動規制部材４４の上端が上向き結合面３１と面一になったときに、凹溝４４ａ内に係合解除部材４１が進入可能な状態となるように形成されている。
【００３４】
一方、前記流量設定リング５２の内周には、上向き結合面３１から突出した前記押動規制部材４４の上部を収納可能なリング状凹溝５２ａが設けられており、該リング状凹溝５２ａの一部に、前記押動規制部材４４を下方に向けて押動するための規制解除手段となる押圧突起６０が設けられている。この押圧突起６０は、流量設定リング５２を酸素ガス流量の設定値がゼロとなる位置に回動させたときに、押動規制部材４４を下方に押圧するものであって、流量設定リング５２を酸素ガス流量の設定値がゼロ以外の位置としたときには押圧突起６０が押動規制部材４４の位置から外れて押動規制部材４４がリング状凹溝５２ａ内に突出した状態となるように形成されている。
【００３５】
また、酸素ガス取出ユニット３０とガス供給ユニット５０とを結合する際の位置合わせ用として、各雄側係合部材５９の内側面後部側に上下方向のガイド突片５９ａがそれぞれ設けられ、下向き結合面５１の後部側にはガイド突起６１が突設されるとともに、各保持孔３６の内側壁部に前記ガイド突片５９ａが進入するガイド溝３６ａがそれぞれ設けられ、上向き結合面３１の後部側にはガイド突起６１が進入するガイド凹部４６が設けられている。
【００３６】
さらに、流量設定リング５２の外周面には、流量設定リング５２を回動させる際の操作性を向上させるため、複数の滑り止め突起５２ｂが周方向に設けられており、流量表示部５３の流量表示は、ゼロのみを白抜きとしてゼロ以外との識別を確実に行えるようにしている。また、酸素ガス取出ユニット３０における前記開閉コック３２の開閉表示面３２ａや残量表示部３３も色分けするなどして視認性を向上させている。
【００３７】
このように形成した呼吸用気体供給装置は、複数のガス容器１１の口金部１１ａに酸素ガス取出ユニット３０をそれぞれ固着したままの状態で使用され、酸素ガス取出ユニット３０にガス供給ユニット５０を結合して使用する。通常、酸素ガス取出ユニット３０を装着したガス容器１１は、充填口７７から酸素ガスを充填され、開閉コック３２を閉じて酸素ガス取出ユニット３０及び口金部１１ａをフィルムなどの密封部材で密封した状態で使用者の手元に届けられる。
【００３８】
使用者は、密封部材を取り除いた後、係合解除部材４１を手前に向けた状態の酸素ガス取出ユニット３０の上方から、流量表示部５３を手前に向けた状態のガス供給ユニット５０を酸素ガス取出ユニット３０に押し付けることにより、酸素ガス取出ユニット３０にガス供給ユニット５０を結合させる。このとき、酸素ガス取出ユニット３０の方向とガス供給ユニット５０の方向とが合っていない場合は、雄側係合部材５９のガイド突片５９ａが保持孔３６のガイド溝３６ａに入らず、ガイド突起６１もガイド凹部４６に入らないため、ガス供給ユニット５０を酸素ガス取出ユニット３０に結合させることができず、誤った状態でガス供給ユニット５０が酸素ガス取出ユニット３０に組み付けられることはない。
【００３９】
酸素ガス取出ユニット３０の方向とガス供給ユニット５０の方向とが合っている場合は、雄側係合部材５９が保持孔３６内に進入するとともにガイド突片５９ａがガイド溝３６ａに進入し、保持孔３６内に進入した雄側係合部材５９の先端のガイド面５８ｂが雌側係合部材３７のガイド面３７ｃに摺接し、板バネ４０の付勢力に抗して雌側係合部材３７の係合部３７ａを外側に押し拡げて雌側係合部材３７を非係合位置に回動させる。係合突部５８が係合部３７ａの下方に通過すると、板バネ４０の付勢力で雌側係合部材３７が係合位置に復帰し、保持孔３６内に突出した係合部３７ａが係合突部５８の段部５８ａに係合することにより、酸素ガス取出ユニット３０とガス供給ユニット５０とが結合状態に保持される。同時に、雄側継手部８１及び雌側継手部８２の連結端３５，５７が凹凸嵌合することによって逆止弁８０が開いた状態となる。また、酸素ガス取出ユニット３０とガス供給ユニット５０との結合が完全に行われず、雌側係合部材３７が非係合位置にあるときには、周辺の部材と異なる色調の前記非係合表示部３７ｅが酸素ガス取出ユニット３０の外周に突出したままになっているので、両ユニット３０，５０の結合状態が不十分であることを使用者に知らせることができる。
【００４０】
ガス供給ユニット５０を酸素ガス取出ユニット３０に結合させた後、残量表示部３３で残量を確認してから開閉コック３２を開いてガス容器１１内から酸素ガスを供給可能な状態とし、流量設定リング５２を回して酸素ガスの流量をあらかじめ設定された流量に設定し、また、必要に応じて供給切替操作部５４を操作して供給状態を切り替える。
【００４１】
これにより、ガス容器１１内の酸素ガスは、酸素ガス取出ユニット３０における容器弁部７１の開状態となった容器元弁７４を通り、減圧部７２の減圧弁７８で所定圧力に減圧され、開状態となった逆止弁８０を通り、雄側継手部８１及び雌側継手部８２を通ってガス供給ユニット５０内に入り、流量調節弁８３で所定流量に設定された後、チューブ１２を介してカニューラに呼吸用気体として供給される。
【００４２】
ガス容器１１内の酸素ガスの残量が少なくなった場合は、開閉コック３２を閉じるとともに、流量設定リング５２を回して流量表示部５３にゼロを表示させる。流量設定リング５２をゼロの位置にすることにより、コイルバネ４５の付勢力で使用中には上端部が上向き結合面３１から上方に突出していた押動規制部材４４を流量設定リング５２に設けられた押圧突起６０が下方に押圧し、押動規制部材４４の凹溝４４ａ内に係合解除部材４１が進入可能な状態となる。
【００４３】
この状態で、板バネ４０の付勢力に抗して係合解除部材４１を正面から後方に向かって押動すると、押動規制部材４４の内側面中央部が凹溝４４ａ内に進入するとともに、係合解除部材４１の内側面両端部が係合解除用アーム３７ｂを後方に押動し、雌側係合部材３７を軸部材３９を中心に回動させて非係合位置とする。これにより、係合部３７ａが保持孔３６の壁面内に没した状態となり、係合部３７ａと段部５８ａとの係合状態が解除され、酸素ガス取出ユニット３０からガス供給ユニット５０を取り外すことができる。
【００４４】
一方、酸素ガス取出ユニット３０からのガス供給ユニット５０の取り外しは、流量設定リング５２がゼロの位置にあるときしか行えないため、ガス容器１１内の酸素ガスを呼吸用気体として使用中は、すなわち、流量設定リング５２がゼロ以外に設定されているときには、押動規制部材４４の上端部が流量設定リング５２のリング状凹溝５２ａ内に突出して凹溝４４ａが上方に移動しているので、押動規制部材４４によって係合解除部材４１の後方への移動が規制され、係合解除部材４１によって雌側係合部材３７を非係合位置に回動させることはできない。したがって、使用中にガス供給ユニット５０が外れることはなく、酸素ガスの供給を確実に継続することができる。
【００４５】
すなわち、流量をゼロに設定しなければガス供給ユニット５０を取り外せないため、所定流量で酸素を供給している使用中にガス供給ユニット５０が外れることはなく、予期せぬときに酸素ガスの供給が絶たれるおそれもない。さらに、使用者が確認する必要のある流量表示部５３、供給状態表示部５５、開閉コック３２の開閉表示面３２ａ、残量表示部３３を全て正面から視認可能な状態としているので、使用中にもこれらを容易に確認することができる。
【００４６】
また、開閉コック３２を閉じ位置に回すことを忘れてガス供給ユニット５０を取り外してしまった場合は、酸素ガス取出ユニット３０の酸素ガス導出経路７０ａに、酸素ガス取出ユニット３０にガス供給ユニット５０を結合しときにのみ開弁する逆止弁８０が設けられているため、酸素ガス取出ユニット３０の連結端３５から酸素ガスが噴出することはなく、安全性を確保できるとともに、酸素ガスが無駄に消費されることを防止できる。万一、逆止弁８０が故障してガス供給ユニット５０を取り外したときに閉じ状態にならなかったとしても、酸素ガス導出経路７０ａに設けた減圧弁７８で十分に減圧されているため、ガス容器１１内に高圧充填された酸素ガスが急激に噴出することはない。
【００４７】
このように、酸素ガス取出ユニット３０にガス供給ユニット５０を結合させる際には、ガス供給ユニット５０をガス容器１１の軸線方向上方からまっすぐに酸素ガス取出ユニット３０に押し付けるだけでよく、他の操作を全く必要としないため、ガス供給ユニット５０の結合を片手でも容易に行うことができる。また、酸素ガス取出ユニット３０からガス供給ユニット５０を取り外す際には、流量設定リング５２で流量をゼロに設定して係合解除部材４１を正面から押し込むだけでよく、ガス供給ユニット５０の取り外しも簡単な操作で容易に行うことができる。
【００４８】
したがって、ガス容器１１の交換に伴うガス供給ユニット５０の着脱を使用者が容易かつ短時間で行うこと可能となり、ガス容器１１を交換する際の使用者の負担を軽減することができる。また、酸素ガスの充填などでガス容器１１を搬送する際には、ガス容器１１に酸素ガス取出ユニット３０のみが取り付けられた状態で行うため、酸素ガス取出ユニット３０はガス容器１１の本数と同じ数を必要とするが、ガス供給ユニット５０は使用者の人数分だけ用意すればよいことから、呼吸用気体供給装置１０に要するコストだけでなく、医療費の削減を図ることができる。
【００４９】
図１５は、液体酸素を貯留した液体酸素容器から呼吸用気体を供給する液化酸素式医療用酸素ガス供給機に本発明の呼吸用気体供給装置を適用した一例を示している。液体酸素容器９０から呼吸用気体を供給する場合、液体酸素容器９０には、酸素ガスを供給するための機器として、蒸発器９１，安全弁９２及び圧力調節弁９３があらかじめ設けられているので、酸素ガス取出ユニット９４には逆止弁９５を設けておくだけでよい。酸素ガス取出ユニット９４に、前記同様に形成した雌側継手部８２やガス供給ユニット５０との結合構造を設けておくことにより、前記形態例で説明したガス供給ユニット５０を、同じようにして着脱して用いることができる。
【００５０】
なお、呼吸用気体供給装置における各部の構造、形状は任意であり、例えば、供給状態切替手段を省略することもできる。前記形態例では、医療用酸素ガス供給源として、高圧の酸素を充填した医療用酸素ガス容器及び液体酸素容器内の液体酸素を蒸発器で気化させた酸素ガスを供給する液化酸素式医療用酸素ガス供給機を例示したが、医療用酸素ガス供給源には、病院内に設けられている院内アウトレットバルブ、病院内で使用される院内酸素ボンベなどの各種医療用酸素ガス供給源に対応することが可能である。さらには、ＰＳＡ式酸素濃縮装置、膜式酸素濃縮装置などの酸素濃縮装置に装着して使用することもできる。
【００５１】
また、酸素ガス取出ユニットに組み込まれる減圧弁は、医療用酸素ガス供給源からの酸素供給圧力が低い場合や医療用酸素ガス供給源に減圧弁が設けられている場合には、省略することができる。同様に、医療用酸素ガス供給源が、元弁、残量計、充填口、安全弁、フィルタを備えている場合は、これらを酸素ガス取出ユニットに設けなくてもよく、ガス供給ユニットの供給状態切替手段を省略することもできる。
【００５２】
さらに、前記形態例では、ガス容器の軸線と酸素ガス取出口の軸線とが一致しているガス容器を使用した場合の最適な構造を例示したが、ガス容器の軸線と酸素ガス取出口の軸線とが交わる場合は、酸素ガス取出口の軸線を基準として前記同様の構造を採用することが好ましい。
【符号の説明】
【００５３】
１０…呼吸用気体供給装置、１１…医療用酸素ガス容器、１１ａ…口金部、１２…チューブ、３０…酸素ガス取出ユニット、３１…上向き結合面、３２…開閉コック、３２ａ…開閉表示面、３３…残量表示部、３４…雄ねじ部、３５…連結端、３６…保持孔、３６ａ…ガイド溝、３７…雌側係合部材、３７ａ…係合部、３７ｂ…係合解除用アーム、３７ｃ…ガイド面、３７ｄ…外側面、３７ｅ…非係合表示部、３８…係合部材支持溝、３９…軸部材、４０…板バネ、４１…係合解除部材、４２…係合解除部材収容溝、４３…ガイド溝、４４…押動規制部材、４４ａ…凹溝、４５…コイルバネ、４６…ガイド凹部、５０…ガス供給ユニット、５１…下向き結合面、５２…流量設定リング、５２ａ…リング状凹溝、５２ｂ…滑り止め突起、５３…流量表示部、５４…供給切替操作部、５５…供給状態表示部、５６…ジョイント、５６ａ…連結部、５６ｂ…チューブ接続部、５７…連結端、５８…係合突部、５８ａ…段部、５８ｂ…ガイド面、５９…雄側係合部材、５９ａ…ガイド突片、６０…押圧突起、６１…ガイド突起、７０…酸素ガス導出経路、７０ａ…酸素ガス取出ユニット３０の酸素ガス導出経路、７０ｂ…ガス供給ユニット５０内の酸素ガス導出経路、７１…容器弁部、７２…減圧部、７３…容器連通部、７４…容器元弁、７５…残量計、７６…安全弁、７７…充填口、７８…減圧弁、７９…フィルタ、８０…逆止弁、８１…雄側継手部、８２…雌側継手部、８３…流量調節弁、８４…供給状態切替手段、８５…ジョイント接続部、９０…液体酸素容器、９１…蒸発器、９２…安全弁、９３…圧力調節弁、９４…酸素ガス取出ユニット、９５…逆止弁、９６…ガス供給ユニット
【図１】
0005657609.tif 000002
【図２】
0005657609.tif 000003
【図３】
0005657609.tif 000004
【図４】
0005657609.tif 000005
【図５】
0005657609.tif 000006
【図６】
0005657609.tif 000007
【図７】
0005657609.tif 000008
【図８】
0005657609.tif 000009
【図９】
0005657609.tif 000010
【図１０】
0005657609.tif 000011
【図１１】
0005657609.tif 000012
【図１２】
0005657609.tif 000013
【図１３】
0005657609.tif 000014
【図１４】
0005657609.tif 000015
【図１５】
0005657609.tif 000016